(57)【要約】【課題】  画像全体の色のバランス・印象をできるだけ維持し、かつ、同等の色が出力できるように入力カラー画像信号を出力デバイスの再現可能色空間内に圧縮する。【解決手段】  入力したカラー画像データに対して所定の色変換処理にもとづきカラー画像の形成を行う画像形成装置１であって、所定の均等色空間における画像形成装置１の再現可能色範囲を、均等色空間を分割した単位領域ごとに記憶する再現可能色空間記憶部１４と、カラー画像データの画素が再現可能色範囲に属するか否かを単位領域ごとに判別する再現可能領域判別部１３２と、再現可能色範囲に属さない単位領域に配置された各画素を、その単位領域ごとに再現色範囲内に移動する色空間圧縮部１５と、再現可能色範囲に属さない単位領域に配置された各画素の画像空間における分布に応じて前記移動を制御する圧縮方法制御部１３４とを備える構成としてある。【選択図】      図１
2011029907.tif 000002
【特許請求の範囲】
【請求項１】
入力したカラー画像データに対して所定の色変換処理にもとづきカラー画像の形成を行う画像形成装置であって、
所定の均等色空間における前記画像形成装置の再現可能色範囲を、当該均等色空間を分割した単位領域ごとに記憶する再現可能色空間記憶部と、
前記カラー画像データの画素が前記再現可能色範囲に属するか否かを前記単位領域ごとに判別する再現可能領域判別部と、
前記再現可能色範囲に属さない単位領域に配置された各画素を、その単位領域ごとに再現色範囲内に移動する色空間圧縮部と、
前記再現可能色範囲に属さない単位領域に配置された各画素の画像空間における分布に応じて前記移動を制御する圧縮方法制御部とを備えること
を特徴とする画像形成装置。
【請求項２】
前記再現可能色範囲に属さない単位領域に配置された画素をその単位領域ごとに画像空間に表したときの位置関係にもとづき各画素をグループに分けるとともに、各グループにおける画素の数を計測する位置座標探索部を備え、
前記圧縮方法制御部は、
前記画像空間における画素の数が所定数以下のグループに含まれる画素に対し前記移動を制御する請求項１記載の画像形成装置。
【請求項３】
前記カラー画像データを形成する各画素の前記均等色空間における生起数を前記単位領域ごとに計測する生起頻度計測部を備え、
前記圧縮方法制御部は、
前記画像空間における画素の数が所定数以下のグループに含まれる画素で、かつ、前記均等色空間における画素の分散値が所定値以上である画素に対し、階調性を維持しながら前記移動を行わせる請求項１又は２記載の画像形成装置。
【請求項４】
再現可能色空間記憶部は、前記再現可能色範囲を、前記均等色空間を分割した単位領域ごとに再現可能色範囲内、再現可能色範囲境界又は再現可能色範囲外のいずれかに区分して記憶し、
再現可能領域判別部は、対象の画素を含む単位領域が、前記再現可能色範囲内、再現可能色範囲境界又は再現可能色範囲外のいずれかの単位領域に該当するか否かを判別する請求項１乃至３のいずれか一項記載の画像形成装置。
【請求項５】
前記圧縮方法制御部は、
前記画像空間における画素の数が所定数以下のグループに属する画素に対し、当該画素の均等色空間における単位領域に近接する一以上の前記再現可能色範囲境界のうち画素の頻度が最小の再現可能色範囲境界に前記移動を行わせる請求項４記載の画像形成装置。
【請求項６】
前記位置座標探索部は、
前記再現可能色範囲外に該当する単位領域に含まれる画素をその単位領域ごとに画像空間に表したときの座標を求め、その座標から一定距離の範囲内に位置する画素を一のグループとする請求項４又は５記載の画像形成装置。
【請求項７】
前記均等色空間は、明度、彩度及び色相からなる色空間である請求項１乃至６のいずれか一項記載の画像形成装置。
【発明の詳細な説明】
【技術分野】
【０００１】
本発明は、カラー画像信号に対して色処理を施して出力を行う画像形成装置に関する。
【背景技術】
【０００２】
従来、パーソナルコンピュータ等で作成されたカラードキュメントはＲＧＢ形式で作成され、これをカラープリンタ等ではＣＭＹＫ形式に変換した上で印刷が行われる。
このため、カラー対応の画像形成装置には、ＲＧＢデータをＣＭＹＫデータに変換するためのテーブル（ルックアップテーブル）を備えている。
しかし、ＲＧＢの色空間とＣＭＹＫの色空間とでは表現できる色の範囲（色域）が異なるため、ＲＧＢ値によっては対応する色値を出力デバイスが再現できないことがある。
【０００３】
例えば、ＲＧＢ空間の色域とＣＭＹＫ空間の色域とを重ね合わせたときに、ＣＭＹＫ空間の色域からはみ出たＲＧＢ空間の色域の部分は、ＣＭＹＫ空間では表現できない色域である。
そして、このような色域外の画像データに対しては、色域外の色値を色域内の色値に移動して補正する、いわゆる圧縮処理（ガマットマッピング）が行われる（例えば、特許文献１参照）。
【０００４】
特許文献１のカラー画像変換装置によれば、均等色空間において再現可能色空間の範囲外にあると識別された画像データに対しては、その画像データが属する単位領域ごとに、他の画像データの分布が少ない再現可能領域に移動するようにしている。
つまり、圧縮先となる再現可能色範囲の画像データの頻度に着目し、その頻度が最小となる領域に補正対象の画像データを移動するようにしている。
この結果、圧縮後の画像データと再現可能色空間の範囲内に元から存在する画像データとの重複を大幅に減らすことができ、結果、出力画像の識別性を保つことができる。
【先行技術文献】
【特許文献】
【０００５】
【特許文献１】特許第３６７９１３９号公報
【発明の概要】
【発明が解決しようとする課題】
【０００６】
しかしながら、特許文献１に記載されているカラー画像変換装置は、以下のような問題があった。
具体的には、再現可能色空間の範囲外に存在する画像データを、再現可能色空間の範囲内の画像データが分布していない領域又は画像データが最も少ない領域に写像するようにしているが、再現可能色空間の範囲外に存在する画像データそのものの分布量については何ら考慮されていない。このため、例えば、再現可能色空間の範囲外に存在する写像元の画像データの分布が極端に少ない場合でも一様に同じ圧縮処理が行われるため、再現可能な領域の画像データも色空間圧縮の影響を受けることとなり、かえって色のバランス・印象を悪くしてしまう問題を生じていた。
【０００７】
本発明は、上記の事情にかんがみなされたものであり、色域外の画素の色域内への補正に際し、対象画素の画像空間における分布や均等色空間における分布に応じて、その補正方法を制御する画像形成装置の提供を目的とする。
【課題を解決するための手段】
【０００８】
上記目的を達成するため、本発明の画像形成装置は、入力したカラー画像データに対して所定の色変換処理にもとづきカラー画像の形成を行う画像形成装置であって、所定の均等色空間における前記画像形成装置の再現可能色範囲を、当該均等色空間を分割した単位領域ごとに記憶する再現可能色空間記憶部と、前記カラー画像データの画素が前記再現可能色範囲に属するか否かを前記単位領域ごとに判別する再現可能領域判別部と、前記再現可能色範囲に属さない単位領域に配置された各画素を、その単位領域ごとに再現色範囲内に移動する色空間圧縮部と、前記再現可能色範囲に属さない単位領域に配置された各画素の画像空間における分布に応じて前記移動を制御する圧縮方法制御部とを備えた構成としてある。
【発明の効果】
【０００９】
以上のように、本発明の画像形成装置によれば、画像全体の色のバランス・印象をできるだけ維持して、かつ、同等の色が出力できるように圧縮することができる。
【図面の簡単な説明】
【００１０】
【図１】本発明の一実施形態に係る画像形成装置の構成を示す概要図である。
【図２】均等色空間であるＬＣＨ空間を立体的に表した鳥瞰図（ａ）と一定明度にもとづいて表した平面図（ｂ）である。
【図３】本実施形態の画像形成装置の色再現範囲を表した図である。
【図４】画像空間におけるグループの探索範囲を説明するための図である。
【図５】画像空間における近似画素の分散・集中を示す図である。
【図６】均等色空間における分散によって階調性を説明するための図である。
【図７】均等色空間における境界域の頻度を説明するための図である。
【図８】本実施形態における圧縮処理の手順を示したフローチャートである。
【発明を実施するための形態】
【００１１】
以下、本発明の好ましい実施形態について図面を参照して説明する。
なお、本実施形態の画像形成装置は、プログラム（ソフトウェア）の命令によりコンピュータで実行される処理，手段，機能によって実現される。プログラムは、コンピュータの各構成要素に指令を送り、後述する所定の処理を行わせる。すなわち、本実施形態の画像形成装置における各機能は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１２】
まず、本実施形態の画像形成装置の構成について図１を用いて説明する。
本実施形態の画像形成装置１は、図１に示すように、画像入力部１１と均等色空間変換部１２と圧縮制御部１３と再現可能色空間記憶部１４と色空間圧縮部１５と出力色空間変換部１６と画像出力部１７とを有する。
【００１３】
画像入力部１１は、ＮＩＣ（Network  Interface  Card）等の通信インタフェースであり、図示しない外部のホストコンピュータから通信ケーブルを介して画像処理対象のカラー画像データを入力する制御ボードを備える。カラー画像データは複数の画素によって形成され、各画素は、色空間における座標値（色値）や画像空間における座標値を有する。そして、この制御ボードは、カラー画像データの画素を解析し、各画素の情報を均等色空間変換部１２に出力する。
【００１４】
均等色空間変換部１２は、制御ボードを備えており、画像入力部１１から各画素の情報を受け取ると、その色値を、所定の知覚均等色空間（以下、「均等色空間」と呼ぶ。）に写像する。
ここで、「均等色空間」とは、色を見たときに、同じ色違いに見える色同士の距離（心理的な距離感）を均等にしてある色立体（色空間）のことをいう。つまり、色差（色の変化量）を均等に読み取ることが可能な色空間をいう。
本実施形態では、「均等色空間」として「ＬＣＨ空間」を用いる。また、カラー画像データの色値としてＲＧＢデータを用いる。
このため、本実施形態の均等色変換部１２は、制御ボードが、ＲＧＢ→ＬＣＨ変換を行い、これによりＲＧＢ空間に配置された各色値がＬＣＨ空間に写像される。
なお、ＬＣＨ空間は、図２（ａ）に示すように、明度（Ｌ）、彩度（Ｃ）、色相（Ｈ）による三次元の色空間として表すことができる。
また、ＬＣＨ空間の同一明度における色空間は同図（ｂ）のように、同心円の周囲方向を色相（Ｈ）の変化、同心円の中心から放射状の方向を彩度（Ｃ）の変化として表すことができる。
【００１５】
圧縮制御部１３は、制御ボードを備え、画像空間における各画素の分布や均等色空間における各画素の分布にもとづいて圧縮方法を制御する。
圧縮制御部１３は、図１に示すように、生起頻度計測部１３１と再現可能領域判別部１３２と位置座標探索部１３３と圧縮方法制御部１３４とを有する。
【００１６】
生起頻度計測部１３１は、まず、均等色空間を均等に分割することで複数の単位領域を得る。
具体的には、図２に示すように、ＬＣＨ空間を、Ｌ軸方向、Ｃ軸方向、Ｈ軸方向に沿ってそれぞれ所定の間隔で分割することにより、明度一定の色空間（ＣＨ平面）上に複数の単位領域を取得することができる。取得した単位領域には各領域が一意に識別できるように、番地やシリアル番号などの識別符号を付することができる。
そして、生起頻度計測部１３１は、取得した単位領域ごとに各画素を検出し、その数（生起頻度）を計測する。
【００１７】
また、生起頻度計測部１３１は、画素の生起頻度とその単位領域の識別符号とを対応づけて記憶部（図示せず）に記憶する。
なお、ＬＣＨ空間上の単位領域は、色変換テーブルの各格子点の色値と対応付けておくこともできる。例えば、単位領域の端点や代表値（ＬＣＨ値）をＲＧＢ／ＣＭＹＫルックアップテーブルの対応箇所に関連付けて記憶させておく。これにより、均等色空間における補正前後の関係を容易にルックアップテーブルに反映させることができ、補正後の色変換処理を円滑に行うことができる。
【００１８】
再現可能領域判別部１３２は、カラー画像データの各画素の色値が、画像出力部１７（出力デバイス）によって再現可能な色か否かを単位領域ごとに判別する。
具体的には、再現可能色空間の範囲（図３）を参照し、一以上の画素を含む単位領域が、再現可能色空間の範囲内（塗り潰した部分）に該当するか、再現可能色空間の範囲外（空白部分）に該当するか、を判別する。
また、再現可能領域判定部１３２は、一以上の画素を含む単位領域が、再現可能色空間の範囲内と範囲外との境界部分（濃く塗り潰した部分）に該当するか否かを判別することができる。
なお、簡単のため、以下、再現可能色空間の範囲内を「色域内」、再現可能色空間の範囲外を「色域外」、再現可能色空間の範囲の境界部分を「境界域」と呼ぶ。
【００１９】
再現可能領域判別部１３２によって「色域外」と判別された単位領域の識別符号やその単位領域に写像された各画素の情報は位置座標探索部１３３に出力される。なお、「画素の情報」とは、各画素の均等色空間における色値（ＬＣＨ座標）や画像空間における位置（ＸＹ座標）をいう。
なお、画像データを形成する全画素が、「色域内」の単位領域に現れる場合には、補正の必要がないため、圧縮処理は行わない。
【００２０】
位置座標探索部１３３は、色域外の単位領域に写像された画素の画像空間における座標を単位領域ごとに取得する。
次に、位置座標探索部１３３は、取得した画素の画像空間における座標にもとづき、各画素を、所定の探索範囲にもとづきグループ化する。
具体的には、画像空間をＸ軸及びＹ軸からなる二次平面上に表し、ある画素の座標点から一定範囲に存在する他の画素を探索する。
そして、その探索範囲において他の画素を検出した場合には、一のグループに属する画素として対応付けを行う。
例えば、図４（左図）に示すように、ある画素の探索範囲と他の画素の探索範囲が部分的に重なる場合には、これら複数の範囲に含まれるすべての画素は同一グループと判別する。
また、図４（右図）に示すように、一定の探索範囲内に他の画素が検出されなかった場合には、（その探索範囲の中心に位置する）一の画素のみによって一グループを形成する。
【００２１】
次に、位置座標探索部１３３は、各グループにおける画素の数を求め、画素数が所定数以下となるグループとそのグループに属する色値を特定する。つまり、画素が画像空間上で局所的に集中するグループを特定する。
例えば、図５（右図）に示すように、一グループから４個の色値が検出された場合には、画素が集中するとみなしてこれを検出する。
一方、図５（左図）に示すように、一グループから１個の色値が検出された場合には、色値が集中していないため特段の処理は行わない。
つまり、画像の局所に集中する画素の色値を補正する場合には、色の変化が一層目立つため、再現性を低下させる影響が大きいものとして、これを圧縮制御に用いる。
【００２２】
圧縮方法制御部１３４は、圧縮方法を制御する。具体的には、位置座標探索部１３３が特定したグループ、すなわち、均等色空間において色域外の単位領域に属し、かつ、画像空間において局所的に集中する画素群を色域内に移動する方法について制御を行う。
圧縮方法制御部１３４は、図１に示すように、階調性分析部Ａと境界域分析部Ｂとを有する。
【００２３】
階調性分析部Ａは、位置座標探索部１３３によって特定されたグループに属する画素の色値情報を取得する。例えば、当該画素の色値情報として、ＬＣＨ空間における座標を取得する。
次に、階調性分析部Ａは、取得した各色値情報にもとづき、均等色空間における各画素の単位領域における分散値を測定する。
そして、分散値が所定値以上である場合、そのグループに属する各画素の色値は階調性を有すると判断し、その画素の情報を抽出する。
これは、各色値は本来ＬＣＨ空間の同一明度平面上の同じ単位領域に存在するものであるから、図６のＧｒｏｕｐＡに示すように、この範囲で座標にバラツキがある場合（つまり分散している場合）には、これら色値は彩度若しくは色相において近似すると判断できるためである。
【００２４】
階調性分析部Ａは、抽出した画素の情報を、所定の制御信号とともに色空間圧縮部１５に送信する。つまり、該当する画素に関しては、階調性を維持しつつ圧縮（色域内へ移動）する方法で色値の補正を行うよう色空間圧縮部１５に通知する。また、所定の制御信号を後述する境界域分析部Ｂによる制御信号とともに色空間圧縮部１５に送信しても良い。
なお、図６のＧｒｏｕｐＢに示すように、この範囲でさらに座標が一致する場合（分散していない場合）には、これら色値は、同一色とみなし、階調性を考慮しなくても良い。したがって、この場合、該当する画素については、後述する境界域分析部Ｂの制御のみにもとづいて圧縮処理を行うことができる。
【００２５】
境界域分析部Ｂは、位置座標探索部１３３によって特定されたグループに属する画素を含む均等色空間上の単位領域の位置情報を取得する。
次に、境界域分析部Ｂは、単位領域に近接する境界域を検出する。
続いて、その境界域における画素の生起頻度の情報を、前述した記憶部（図示せず）から取り出し、生起頻度が最小となる境界域を特定する。
そして、境界域分析部Ｂは、特定した境界域の識別符号を所定の制御信号とともに色空間圧縮部１５に送信する。
つまり、図７に示すように、ここでは圧縮による色値の重なりの影響が少ない境界域を特定し、補正対象の画素が画像空間における局所に集中する場合には、画素の生起頻度が少ない境界域内の色値に移動して補正を行うよう色空間圧縮部１５に通知する。
【００２６】
図１に示す再現可能色空間記憶部１４は、ハードディスクや不揮発メモリなどによって構成され、画像出力部１７の出力デバイスが再現可能な色空間の範囲を予め記憶する制御ボードを備える。
これは、図３に示すように、均等色空間を分割した単位領域ごとに色域内、色域外及び境界域の範囲を設定するものであり、その後、再現可能領域判別部１３２によって、対象画像データの各色値が再現できるか否かを判別するために用いられる。
【００２７】
色空間圧縮部１５は、圧縮方法制御部１３４からの制御信号（又は通知）に応じ、所定の圧縮処理を実行する制御ボードを備える。
この制御ボードは、境界域分析部Ｂからの制御信号の受信に応じ、対象画素の色値を、近接する境界域であって、画素の生起頻度が最小の境界域にマッピングすることができる（図７参照）。
また、制御ボードは、階調性分析部Ａからの制御信号の受信に応じ、対象画素の色値に対して階調性を維持するようにマッピングすることができる。例えば、対象の画素群を、各画素の相対的な距離を維持しつつ色域内に移動する（図６参照）。
なお、制御ボードは、階調性分析部Ａからの制御信号の受信に応じ、対象画素の色値に対して階調性を維持しつつ、かつ、近接する境界域であって画素の生起頻度が最小の境界域にマッピングすることもできる。
【００２８】
出力色空間変換部１６は、画像データの各画素の色値を出力色空間の色値に変換する制御ボードを備える。
特に、本実施形態では、圧縮処理により補正された画素の色値についてＬＣＨ→ＲＧＢ変換を行い、変換後のＲＧＢデータをルックアップテーブルにもとづいて色変換することで補正に対応したＣＭＹＫデータを取得する。
また、予めＬＣＨデータのルックアップテーブルへの対応付けを行っておくことにより、ＬＣＨ→ＣＭＹＫ変換をダイレクトに行うことができるため、圧縮処理とともに色変換処理を実行することが可能となる。
【００２９】
画像出力部１７は、ルックアップテーブルにもとづいて変換された出力形式の画像データにもとづいて画像イメージを形成し、形成された画像イメージの出力を行う制御ボードを備える。具体的には、この制御ボードは、対象となる画像データをビットマップ化する。また、画像出力部１７は、ビットマップ化された画像をプリンタヘッドや感光ドラム上に現像し、さらに、給紙機構から提供されるプリンタ用紙等にトナー転写・定着させる処理を行う印刷エンジンを備える。
【００３０】
次に、本実施形態の画像形成装置の画像処理方法の手順について図８を参照しながら説明する。
図８は、本実施形態の画像形成装置の画像処理方法の手順を示すフローチャートである。
なお、予め対象のカラー画像データが画像入力部１１を介して入力され、その色値（ＲＧＢデータ）がＬＣＨ変換されているものとする。
【００３１】
図８に示すように、まず、本実施形態の画像形成装置１は、生起頻度計測部１３１が、ＬＣＨ空間上の単位領域ごとにカラー画像データを形成する各画素の生起頻度を計測する（Ｓ１）。なお、各単位領域は、ルックアップテーブル（ＲＧＢ／ＣＭＹＫ）に対応づけておく。
次いで、再現可能領域判別部１３２は、単位領域ごとに「色域内」、「色域外」、「境界域」の判別を行う（Ｓ２）。
ここで、色域外の単位領域が検出された場合（Ｓ２：ＹＥＳ）、その単位領域の位置情報を取得するとともに、その単位領域に近接する境界域の位置情報を取得する（Ｓ３）。
Ｓ１〜Ｓ３の処理は、カラー画像データを形成する全画素について行う（Ｓ４）。
【００３２】
続いて、全画素が色域内にあるか否かを判定する（Ｓ５）。すなわち、カラー画像データを形成する画素の色値がすべて出力デバイスによって再現可能な色値か否かを判定する。
この結果、全色値が色域内にあると判定された場合には（Ｓ５：ＹＥＳ）、圧縮処理は行わない（Ｓ６）。つまり、入力した画像データのＲＧＢデータは、そのままルックアップテーブルを介してＣＭＹＫデータに色変換処理されて画像形成が行われることとなる。
一方、全色値が色域内にあると判定されなかった場合、すなわち、色域外の画素が一部に含まれる場合（Ｓ５：ＮＯ）、次のステップに進む。
【００３３】
次に、位置座標探索部１３３は、色域外に配置する単位領域に属する画素を取り出してグループ化する（Ｓ７）。具体的には、色域外の単位領域に配置する画素を画像空間に配置した場合の一定距離の範囲探索にもとづいて各画素をグループ化する。
続いて、一グループに属する画素についての調査を行う（Ｓ８）。具体的には、グループに属する画素の数を測定し、画像空間において画素が集中しているグループを特定する。
そして、この調査を、単位領域に属するすべてのグループに対して行う（Ｓ９）。
【００３４】
ここで、圧縮制御部１３は、色域外の色値の画像空間における集中度、均等色空間における色値の分散（階調性）、境界域における色値の頻度等を勘案し圧縮方法の決定を行う（Ｓ１０）。
特に、色域外の画素が画像空間の局所に集中する場合には、近接する境界域のうち画素の頻度が最小の境界域に移動する処理を行う。
また、色域外の画素が画像空間の局所に集中する場合に、その色値が階調性を有すると判定された場合には、階調性を維持しつつ、かつ、近接する境界域のうち画素の頻度が最小の境界域に移動する処理を行う。
【００３５】
以上、本実施形態の画像形成装置１によれば、色域外の画素を色域内に圧縮する際に、圧縮先の画素の分布のみならず、圧縮元の画素の分布を分析し、その分析結果に応じて圧縮方法を制御するようにしている。
具体的には、補正対象の画素の画像空間上の画素数を測定し、局所的に集中する画素群を特定するようにしている。
そして、その画素群を、均等色空間上の近接する境界域であって、画素の頻度が少ない境界域にマッピングさせることができる。
また、その画素群が階調性を有する場合には、階調性を維持しつつ、均等色空間上の近接する境界域であって、画素の頻度が少ない境界域に圧縮させることも可能である。
【００３６】
これにより、色域外の画素群によってグラデーションが構成される場合には、補正によって不自然な画像となる不具合を回避することができる。
また、他の画素が多く存在する色域内の単位領域にマッピングすることによって、補正にもとづく識別性の低下を防ぐことができる。
すなわち、色域外の画像データの画像上の分布が局所的に集中している場合に圧縮処理を行い、集中してない場合は切り捨てることで、画像全体の色のバランス・印象をできるだけ維持して、かつ、同等の色が出力できるように圧縮することができる。
【００３７】
以上、本発明の画像形成装置について、好ましい実施形態を示して説明したが、本発明にかかる装置は、上述した実施形態にのみ限定されるものではなく、本発明の範囲で種々の変更実施が可能であることは言うまでもない。
例えば、本実施形態では、均等色空間としてＬＣＨ空間を用いたが、色の変化量を認識しうる他の色空間（Ｌ*ａ*ｂ*空間等）を用いてもよい。
また、上記実施形態では、各構成部の制御ボードが互いに連携して画像形成装置１のコンピュータを構成するものとしたが、画像形成装置１の例えば圧縮制御部１３に主制御ボードを備えて、この主制御ボードによりコンピュータを構成し、各ハード要素を制御してもよい。
【産業上の利用可能性】
【００３８】
本発明は、カラープリンタやカラーコピー機等、色変換処理を行う画像形成装置に好適に利用することができる。
【符号の説明】
【００３９】
１  画像形成装置
１２  均等色空間変換部
１３  圧縮制御部
１３１  生起頻度計測部
１３２  再現可能領域判別部
１３３  位置座標探索部
１３４  圧縮方法制御部
Ａ  階調性分析部
Ｂ  境界域分析部
１４  再現可能色空間記憶部
１５  色空間圧縮部
１６  出力色空間変換部
１７  画像出力部
【図１】
2011029907.tif 000003
【図２】
2011029907.tif 000004
【図３】
2011029907.tif 000005
【図４】
2011029907.tif 000006
【図５】
2011029907.tif 000007
【図６】
2011029907.tif 000008
【図７】
2011029907.tif 000009
【図８】
2011029907.tif 000010